(57)【要約】【課題】既設枠の外側に設置した雨戸や格子等に干渉しないように新設枠を設置できる。【解決手段】改装サッシ１は、建物の開口部に固定した既設上枠７に取り付けた上枠アタッチメント２０と、上枠アタッチメント２０に連結されていて既設枠の内側に固定された新設上枠１５とを設けた。上枠アタッチメントは第１部材３１と第２部材３２からなる。既設上枠７の既設内ガイドレール７ｄに第１部材３１を固定し、既設外ガイドレール７ｃに第２部材３２を固定し、第１部材３１と第２部材３２を連結した。既設外ガイドレール７ｃの屋外側に上枠位置決めブロック３４を固定し、新設上枠１５を屋外側から挿入して位置決め面３４ａに位置決め部１５ｂを当接させて位置決めした。新設上枠１５はスペーサ３６を介して第２部材３２に基部１５ａを固定し、屋外側端部となる屋外側端部１５ｃは既設上枠７の屋外側端部となる既設網戸ガイドレールと面一になる位置に設けた。【選択図】図４
2018076741.tif 000002
【特許請求の範囲】
【請求項１】
壁部の開口部に取り付けられた既設枠に固定されるアタッチメントと、
前記アタッチメントに連結されていて前記既設枠の内側に固定された新設枠と、を備え、
前記新設枠の屋外側端部は前記既設枠の屋外側端部に対して見込み方向同一位置または屋内側に設置されていることを特徴とする改装サッシ。
【請求項２】
前記新設枠の屋外側端部は前記既設枠の屋外側端部の屋内側に設置されている請求項１に記載された改装サッシ。
【請求項３】
前記アタッチメントは前記新設枠の位置決め部材と取付部材を備えている請求項１または２に記載された改装サッシ。
【請求項４】
前記アタッチメントは前記新設枠の位置決め部材と取付部材が一体の部材からなる請求項３に記載された改装サッシ。
【請求項５】
前記アタッチメント及び前記新設枠は前記開口部に設けた前記既設枠の四周にそれぞれ設けられている請求項１から４のいずれか１項に記載された改装サッシ。
【請求項６】
前記既設枠の屋外側端部には前記既設枠を覆うと共に前記新設枠との境界を覆うカバー部材が備えられている請求項１から５のいずれか１項に記載された改装サッシ。
【請求項７】
建物の開口部に設けられた既設枠に新設枠を取り付ける改装サッシの施工方法において、
前記既設枠にアタッチメントを固定する工程と、
前記アタッチメントに前記新設枠を固定する工程とを有し、
前記アタッチメントの内側に前記新設枠を挿入して前記アタッチメントに設けた位置決め部材に位置決めさせて、前記アタッチメントに前記新設枠を取り付けた状態で、前記新設枠の屋外側端部は前記既設枠の屋外側端部に対して見込み方向同一位置または屋内側に設置したことを特徴とする改装サッシの施工方法。
【発明の詳細な説明】
【技術分野】
【０００１】
本発明は、住宅等の建物を改装する際に既設サッシに設置する改装サッシ及び改装サッシの施工方法に関する。
【背景技術】
【０００２】
従来、サッシの改装を行う場合に、新設サッシである改装サッシの枠である新設枠を既設サッシの枠である既設枠や躯体にネジなどの固定具で直接固定している。しかも、特許文献１に記載された改装サッシでは、新設枠で既設枠の屋外側端部の面を覆うことで既設枠を覆い隠していた。
【先行技術文献】
【特許文献】
【０００３】
【特許文献１】特開２０１６−９８５４３号公報
【発明の概要】
【発明が解決しようとする課題】
【０００４】
しかしながら、新設枠を位置決め固定する際、既設枠は種々の形状を有しているため、その固定位置や固定形状を予め決定できなかった。そのため、既設枠の屋外側端面に新設枠を当接させて位置決めすることが考えられるが、既設枠の屋外側に雨戸や格子等が設置されていると新設枠を設置した際に雨戸や格子等と干渉してしまい、設置できないという欠点があった。
【０００５】
そこで、本発明は、既設枠の外側に設置された雨戸や格子等に干渉することなく新設枠を設置できるようにした改装サッシ及び改装サッシの施工方法を提供することを目的とする。
【課題を解決するための手段】
【０００６】
上記目的を達成するため、本発明に係る改装サッシは、壁部の開口部に取り付けられた既設枠に固定されるアタッチメントと、アタッチメントに連結されていて既設枠の内側に固定された新設枠とを備え、新設枠の屋外側端部は既設枠の屋外側端部に対して見込み方向同一位置または屋内側に設置されていることを特徴とする。
本発明によれば、既設枠の内側にアタッチメントを固定し、このアタッチメントの内側に新設枠を固定してなり、新設枠の屋外側端部は既設枠に被らないため、新設枠をアタッチメントの内側に挿入して容易に位置決め固定できる。
【０００７】
また、新設枠の屋外側端部は既設枠の屋外側端部の屋内側に設置されていることが好ましい。
新設枠の屋外側端部を既設枠の屋外側端部の屋内側に設置したため、新設枠は既設枠の屋外側に突出することなくアタッチメントに固定でき、既設の雨戸や面格子等に新設枠が干渉することがない。
【０００８】
また、アタッチメントは新設枠の位置決め部材と取付部材を備えていることが好ましい。
アタッチメントに対して新設枠をその内側に挿入する際、位置決め部材に新設枠を当接させて既設枠より突出しないように位置決めすることができ、更にこの位置で新設枠を取付部材に固定することができる。
【０００９】
また、アタッチメントは新設枠の位置決め部材と取付部材が一体の部材からなるように構成してもよい。
本発明では、新設枠をアタッチメントの内側に挿入して位置決め部材に位置決めできると共に取付部材に固定することができる。
【００１０】
また、アタッチメント及び新設枠は開口部に設けた既設枠の四周にそれぞれ設けられていることが好ましい。
開口部に設けた既設枠の四周にアタッチメントをそれぞれ取り付け、更に新設枠を四周に取り付けることで、新設枠の内側に新設の障子を取り付けることができる。
【００１１】
また、既設枠の屋外側端部には既設枠を覆うと共に新設枠との境界を覆うカバー部材が備えられていてもよい。
新設枠の屋外側端部を既設枠に被らないように設置したため、既設枠の屋外側端部が外部に露出するが、カバー部材を既設枠の屋外側端部を覆うように固定したため意匠性が良く美観を確保できる上に、カバー部材は新設枠との境界を覆うようにしたため、既設枠と新設枠の境界から雨水等が浸入することを阻止できる。
【００１２】
本発明に係る改装サッシの施工方法は、建物の開口部に設けられた既設枠に新設枠を取り付ける改装サッシの施工方法において、既設枠にアタッチメントを固定する工程と、アタッチメントに新設枠を固定する工程とを有し、アタッチメントの内側に新設枠を挿入してアタッチメントに設けた位置決め部材に位置決めさせて、アタッチメントに新設枠を固定した状態で、新設枠の屋外側端部は既設枠の屋外側端部に対して見込み方向同一位置または屋内側に設置したことを特徴とする。
本発明によれば、開口部に設けた既設枠の内側にアタッチメントを固定し、アタッチメントの内側に新設枠を挿入してアタッチメントに設けた位置決め部材に位置決めさせ、アタッチメントに新設枠を固定させた状態で、新設枠の屋外側端部は既設枠に被らないため、新設枠をアタッチメントの内側に容易に位置決め固定できる。そして、新設枠の内側に障子を取り付けることができる。
【発明の効果】
【００１３】
本発明による改装サッシ及びその施工方法によれば、既設枠の屋外側端面に新設枠が被らないため、新設枠をアタッチメントを介して既設枠に容易に位置決め固定できる上に既設の雨戸や格子等と干渉することを防止できる。
【図面の簡単な説明】
【００１４】
【図１】本発明の実施形態による改装サッシの概略構成を示す分解斜視図である。
【図２】実施形態による改装サッシの縦断面図である。
【図３】実施形態による改装サッシの横縦断面図である。
【図４】図２に示す改装サッシの上枠部分の拡大図である。
【図５】図４に示す上枠アタッチメントの拡大図である。
【図６】図２に示す改装サッシの下枠部分の拡大図である。
【図７】図６に示す下枠アタッチメントの拡大図である。
【図８】図３に示す改装サッシの縦枠部分の拡大図である。
【発明を実施するための形態】
【００１５】
以下、本発明の実施形態による改装サッシ(建具)及び改装サッシの施工方法について、図１乃至図６に基づいて説明する。
図１に示す本実施形態による改装サッシ１は、建物の室内と室外とを仕切る壁部２の開口部３に設けられたサッシを改装したものである。改装サッシ１の改装は、既設サッシ５内に納めた既設の障子（不図示）が撤去され、既設サッシ５のサッシ枠６（以下、既設枠６とする）は撤去されずに残された状態で行われる。本実施形態では、既設枠６の室内側に開口部３の縁部に沿って額縁２７が設けられている(図２、図３参照)。
既設枠６は、見付け方向（壁部２に沿った水平方向）に延在する既設上枠７及び既設下枠８と、縦方向に配設された左右一対の既設縦枠９，１０とからなる四角形枠を有している。
【００１６】
新設される改装サッシ１は、サッシ枠１２（以下、新設枠１２とする）と、サッシ枠１２に納められる新設の外障子２５及び内障子２６と（図２、図３参照）、既設枠６に固定されて新設枠１２が連結されるアタッチメント１３と、を有している。新設枠１２は、見付け方向に延在する新設上枠１５及び新設下枠１６と、縦方向の左右に配設された左右一対の新設縦枠１７，１８と、からなる四角形枠を有している。
【００１７】
アタッチメント１３は、既設上枠７に固定されて内側に新設上枠１５が連結される上枠アタッチメント２０と、既設下枠８に固定されて内側に新設下枠１６が固定される下枠アタッチメント２１と、一方の既設縦枠９に固定されて内側に一方の新設縦枠１７が連結される縦枠アタッチメント２２と、他方の既設縦枠１０に固定されて内側に他方の新設縦枠１８が連結される縦枠アタッチメント２３と、を有している。
また、既設枠６と新設枠１２との間の気密を行う気密材(図示せず)がそれぞれ設置されている。
【００１８】
次に実施形態による改装サッシ１の構造を図２〜図６に基づいて具体的に説明する。
図２は改装サッシ１の縦断面図であり、図３は同じく横断面図である。図２及び図３に示すように、四角形枠状をなす新設枠１２内には外障子２５と内障子２６からなる障子が開閉可能に設置されている。既設枠６の屋内側には額縁２７が設置されている。
なお、外障子２５と内障子２６はそれぞれアルミ合金等の金属框とその屋内側に設置された樹脂框とで形成された複層障子である。そして、外障子２５と内障子２６は二層ガラス等の複層ガラスをそれぞれ収納している。既設枠６内に収納された従来の外障子と内障子が例えば単層ガラスであったため、改装サッシ１に改修することで断熱性を向上できる。
【００１９】
改装サッシ１として、先ず図４及び図５に基づいて、既設枠６の既設上枠７に設置された上枠アタッチメント２０と新設上枠１５の構造について説明する。
図４に示す上枠の拡大図において、既設上枠７は段付き形状で屋内側の段付き部７ａに額縁２７が設置されてねじ固定されており、屋外側端部は新設の外障子２５側に向けて屈曲されて下方に延びる既設網戸ガイドレール７ｂを形成している。既設上枠７の既設網戸ガイドレール７ｂは屋外側端部を形成しており、この既設網戸ガイドレール７ｂと段付き部７ａとの間に既に取り外した既設障子用の既設外ガイドレール７ｃ、既設内ガイドレール７ｄが所定間隔で下方に垂下している。
【００２０】
上枠アタッチメント２０は、新設上枠１５を連結するための上枠取付部材２９と新設上枠１５を位置決めするための上枠位置決めブロック３４とを備えている。上枠取付部材２９は例えば金属板製の第１部材３１と第２部材３２とを有している。第１部材３１と第２部材３２とは連結された状態で既設上枠７に固定されており、見込み方向の所定の範囲において連結する位置を調整可能に構成されている。
本実施形態では、１つの第１部材３１及び１つの第２部材３２の組が既設上枠７に見付け方向に間隔をあけて複数固定されている。
【００２１】
図５に上枠アタッチメント２０の拡大図が示されている。上枠取付部材２９の第１部材３１は略階段形状部分を有しており、第２部材３２と連結する上段側で屋外側の第一連結部３１ａと下段側で屋内側の第二連結部３１ｂとを有している。これら第一連結部３１ａ及び第二連結部３１ｂの間には既設内ガイドレール７ｄを受ける受け部３１ｃと、受け部３１ｃ近傍で既設内ガイドレール７ｄにねじ固定する内側固定部３１ｄとを有している。しかも、第一連結部３１ａは複数(例えば２個)のねじ穴を有しており、既設上枠７の寸法の違いに応じて見込み方向にいずれかのねじ穴を選択してねじｎで固定可能とされている。
【００２２】
第２部材３２は断面略Ｊ字状を有しており、上段に設けていて第１部材３１の第一連結部３１ａと連結可能な第一連結部３２ａと、既設外ガイドレール７ｃを受ける受け部３２ｂと、受け部３２ｂの近傍で既設外ガイドレール７ｃにねじ固定する外側固定部３２ｃと、第１部材３１の下段側の第二連結部３１ｂとねじｎ等で連結する下段の第二連結部３２ｄとを有している。しかも、第二連結部３２ｄは長穴が形成されており、第１部材３１の第二連結部３１ｂとねじｎで連結させる際に見込み方向に位置調整可能とされている。
【００２３】
そのため、上枠取付部材２９は、第１部材３１の第一連結部３１ａの選択したねじ穴と第２部材３２の第一連結部３２ａの長穴とを通してねじ固定し、第２部材３２の第二連結部３２ｄの長穴と第１部材３１の第二連結部３１ｂとをねじ固定する。これによって、第１部材３１と第２部材３２を見込方向に位置調整して互いに連結できる。しかも、上枠取付部材２９を既設上枠７に固定する際、第１部材３１の内側固定部３１ｄを既設内ガイドレール７ｄにねじ固定し、第２部材３２の外側固定部３２ｃを既設外ガイドレール７ｃにねじ固定する。
また、既設枠６の既設上枠７に設けた既設外ガイドレール７ｃの屋外側には上枠位置決めブロック３４が固定されている。上枠位置決めブロック３４はねじで既設上枠７に固定されていてもよいし、両面テープ等で固定されていてもよい。なお、位置決めブロック３４を設ける構成に代えて、第２部材３２の屋外側部分を屋外方向へ延ばして、位置決め面を設ける構成を採用してもよい。
【００２４】
そして、上枠アタッチメント２０の下側には新設枠１２の新設上枠１５がねじ止め等によって上枠取付部材２９の第２部材３２(取付部材)に固定されている。新設上枠１５は見込み方向に延びる基部１５ａにおいて、屋外側端部には上枠位置決めブロック３４の屋外側の位置決め面３４ａ(位置決め部材)に当接して位置決めされる位置決め部１５ｂと既設網戸ガイドレール７ｂに略面一に延びる屋外側端部１５ｃとが互いに分岐して上方に形成されている。
また、基部１５ａの屋外側端部には下方に延びる新設網戸ガイドレール１５ｄが形成され、その見込み方向の屋内側には新設外ガイドレール１５ｅと新設内ガイドレール１５ｆが順次下方に延びて形成されている。
【００２５】
また、新設上枠１５の屋内側端部には樹脂製のアングル３５ａが固定され、そのアングル３５ａは基部１５ａの屋内側端部から下部を見込み方向屋外側に延びて新設内ガイドレール１５ｆの屋内側の面と下端部とを覆っている。一方、アングル３５ａの屋内側端部には、額縁２７との隙間を覆う樹脂製のアングルカバー３５が設置され、アングル３５ａとアングルカバー３５とは、ねじで固定されている。また、アングルカバー３５の屋内側端部３５ｂは額縁２７の下面に当接し、この屋内側端部３５ｂは額縁２７にねじｎで固定された補助部材３７によって係止されている。
新設上枠１５の基部１５ａは上述した上枠取付部材２９の第２部材３２にねじｎで固定されている。既設上枠７と新設上枠１５の形状や寸法や固定部等に応じて、既設上枠７と新設上枠１５の間に間隙が生じた場合には、この間隙を埋めるスペーサ３６が１または複数枚積層状態で設置され、これらのスペーサ３６を通して新設上枠１５と第２部材３２がねじｎで固定されている。
【００２６】
なお、既設上枠７の屋外側端部を形成する既設網戸ガイドレール７ｂは上枠カバー部材３８によって覆われて、ねじｎによって固定されている。上枠カバー部材３８は既設網戸ガイドレール７ｂにねじ固定する受け部３８ａの開口部に上枠カバー部材３８の裏面に設けた係止部が嵌合している。後述する他のカバー部材も同様な構成を有している。上枠カバー部材３８は既設網戸ガイドレール７ｂを被覆すると共に新設上枠１５の屋外側端部１５ｃとの境目も覆うように配設されている。これによって、古い既設網戸ガイドレール７ｂを覆って美観を確保すると共に、既設網戸ガイドレール７ｂと新設上枠１５の屋外側端部１５ｃとの境界をも覆うことで、この境界から雨等が浸入することを防止できる。
また、新設上枠１５に設置された新設網戸ガイドレール１５ｄには新設網戸３９の上桟に形成した溝状のレール受け３９ａが振れ止め用に形成されている。同様に、新設上枠１５の新設外ガイドレール１５ｅを受け入れる外障子２５のレール受け２５ａが形成され、新設内ガイドレール１５ｆを受け入れる内障子２６のレール受け２６ａが形成されている。
【００２７】
次に、本実施形態による改装サッシ１における新設上枠１５を既設上枠７に固定する改装サッシ１の施工方法について図４及び図５により説明する。
まず、既設枠６から既設の外障子と内障子を取り外す。そして、既設上枠７の内側に上枠取付部材２９の第１部材３１を固定する。即ち、既設内ガイドレール７ｄを第１部材３１の第一受け部３１ｃに受け入れて内側固定部３１ｄと既設内ガイドレール７ｄをねじｎで固定する。更に第１部材３１の下側に第２部材３２を取り付けて第一連結部３１ａと第一連結部３２ａをねじで固定する。その際、既設上枠７等の寸法に応じて第一連結部３１ａに形成した複数のねじ穴のいずれかを選択し、第一連結部３２ａの長穴と位置調整してねじｎを締め込む。
【００２８】
そして、第２部材３２の受け部３２ｂで既設外ガイドレール７ｃを受けると共に外側固定部３２ｃでねじｎを既設外ガイドレール７ｃに捩じ込み固定する。また、第１部材３１の第二連結部３１ｂと第二連結部３２ｄをねじｎ等で固定する。その際、第二連結部３２ｄは長穴であるために、第１部材３１に対する第２部材３２の固定位置を長穴の範囲で調整できる。
【００２９】
次に、第２部材３２の下側で屋外側から新設上枠１５を見込み方向屋内側に挿入して上枠取付部材２９と連結固定する。その際、新設上枠１５の屋外側に設けた位置決め部１５ｂを上枠位置決めブロック３４の位置決め面３４ａに当接させることで位置決めを行う。これによって位置決め部１５ｂから分岐された屋外側端部１５ｃは既設上枠７の既設網戸ガイドレール７ｂの下側で面一に保持される。
次に、新設上枠１５の見込み方向屋内側に延びる基部１５ａは、上枠取付部材２９の第２部材３２とねじ固定するが、第２部材３２との間に隙間がある場合には、スペーサ３６を介して第２部材３２に当接させ、ねじｎによって互いに固定させる。
【００３０】
上枠アタッチメント２０と新設上枠１５の屋内側は新設樹脂上枠として樹脂製のアングルカバー３５で被覆する。即ち、新設上枠１５には予めアングル３５ａが固定されており、アングルカバー３５は、後述する下枠側のアングルカバー４６、縦枠のアングルカバー５９と四方組みされた状態で、屋内側から差込まれる。そして、アングル３５ａとアングルカバー３５とをねじｎで固定する。アングルカバー３５の屋内側端部３５ｂと額縁２７との当接部分に補助部材３７をねじｎで固定する。そして、アングルカバー３５の屋内側端部３５ｂは額縁２７に当接され、その屋内側に設けた補助部材３７に係止される。
なお、屋内側端部３５ｂと額縁２７との間に隙間があっても良く、その場合、補助部材３７によって隙間を隠すことができる。
既設上枠７の屋外側端部を形成する既設網戸ガイドレール７ｂの屋外側に上枠カバー部材３８をねじｎによって固定する。その際、上枠カバー部材３８は既設網戸ガイドレール７ｂを被覆すると共に新設上枠１５の屋外側端部１５ｃも覆っている。これによって、既設網戸ガイドレール７ｂを覆って美観を確保すると共に、既設網戸ガイドレール７ｂと新設上枠１５の屋外側端部１５ｃとの境界をも覆うことで、この境界から雨水等が浸入することを防止できる。
【００３１】
次に図６、図７に基づいて既設下枠８に設置された下枠アタッチメント２１と新設下枠１６の構造について説明する。
既設下枠８は額縁２７にねじｎ等で固定された屋内側端部８ａから既設屋外側端部８ｂに向けて下方に降下する形状を有している。既設屋外側端部８ｂは略鉛直な端面を形成している。屋内側端部８ａと既設屋外側端部８ｂの間の傾斜面８ｃには所定間隔で屋外側から既設網戸レール８ｄと既設外レール８ｅと既設内レール８ｆとが順次起立して形成されている。
下枠アタッチメント２１は例えば金属板製の第１部材４１と第２部材４２とで構成されている。第1部材４１の屋内側に設けられた板状のストッパー部４０はねじｎで額縁２７に固定されている。第２部材４２はその屋内側端部が第１部材４１に設けたストッパー部４０のストッパー片に係止されている。第１部材４１は後端側の水平面部４１ａが屋外側に延びて略直角に折り曲げられて下方に延びた後で更に略直角に折り曲げられた断面略Ｌ字状部分の着座受け部４１ｂを有し、この着座受け部４１ｂが既設内レール８ｆの頂部に着座して係止されている。
【００３２】
第２部材４２は第１部材４１の水平面部４１ａに一部重なると共に水平方向屋外側に延びる水平面部４２ａと下方に折り曲げられる段部４２ｂと更に水平方向に延びる載置部４２ｃとを有している。第２部材４２の水平面部４２ａは第１部材４１の水平面部４１ａと重なる部分で長穴が形成されており、ねじｎによって連結固定されている。しかも、連結に際し、第１部材４１に対して第２部材４２を長穴の範囲で見込み方向に位置調整可能としている。
また、既設下枠８の傾斜面８ｃ上における既設外レール８ｅの屋外側の面には例えば金属製の支持ブロック４３が設置され、両面テープや接着剤、或いはねじ等で固定されている。支持ブロック４３の上面には金属製の高さ調整部材４４が設置されている。この高さ調整部材４４は調整ねじ４４ａと調整ねじ４４ａを噛合する当接凹部４４ｂとを有していて、当接凹部４４ｂの下端面は支持ブロック４３の上面に当接している。そして、調整ねじ４４ａを螺合調整することで、高さ調整部材４４の高さを調整可能としている。
【００３３】
下枠アタッチメント２１の第２部材４２の上部には新設下枠１６が設置され、第２部材４２に固定されている。新設下枠１６の屋内側端部には樹脂等からなるアングルカバー４６が係合され、アングルカバー４６は補助部材４７によって係止されている。
アングルカバー４６は見付け方向に延在する部材であり、その屋内側側面が額縁２７にねじｎで固定された補助部材４７に係止されている。アングルカバー４６は、下部側に配置された中空状の中空部４６ａと、中空部４６ａの屋外側に形成された嵌合受け部４６ｂと、嵌合受け部４６ｂから新設下枠１６に延びるアングル４６ｃと、を有している。アングル４６ｃは新設下枠１６の基部１６ａに形成した突部に係止され嵌合受け部４６ｂを覆っている。
【００３４】
新設下枠１６は、既設下枠８に固定された下枠アタッチメント２１の直上に配置された基部１６ａと、基部１６ａの屋外側端部から下側に突出する屋外側端部１６ｂと、基部１６ａの屋外側端部１６ｂの近傍から上側に突出する新設網戸レール１６ｃと、新設網戸レール１６ｃの屋内側で上側に突出する新設外レール１６ｄと、新設外レール１６ｄの更に屋内側で上側に突出する新設内レール１６ｅとを備えている。
屋外側端部１６ｂは既設下枠８の既設屋外側端部８ｂと略面一に設置されていることが好ましいが、既設の雨戸や格子に干渉しない範囲で外側に突出していてもよい。
更に、新設内レール１６ｅの屋内側端部から屋内側端部で上側に突出しているカバー係止部１６ｆが設置され、カバー係止部１６ｆはアングルカバー４６の嵌合受け部４６ｂと嵌合している。
【００３５】
また、新設網戸レール１６ｃ、新設外レール１６ｄはそれぞれ既設網戸レール８ｄと既設外レール８ｅより屋外側に設置され、新設内レール１６ｅは既設内レール８ｆより屋内側に設置されている。
新設下枠１６に設置された新設網戸レール１６ｃには、新設網戸３９の下桟に形成した溝状の下部レール受け３９ｂ内に設けた網戸用戸車４８が走行可能に載置されている。同様に、新設下枠１６の新設外レール１６ｄを受け入れる外障子２５の下部レール受け２５ｂ内には外戸車４９が走行可能に載置され、新設内レール１６ｅを受け入れる内障子２６の下部レール受け２６ｂ内には内戸車５０が走行可能に載置されている。
【００３６】
新設下枠１６は、基部１６ａの長手方向の適宜位置において、例えば新設外レール１６ｄと新設内レール１６ｅとの間に、基部１６ａの下側に分岐した階段状の係止段部１６ｇが形成されている。この係止段部１６ｇは第２部材４２の載置部４２ｃに支持され、第２部材４２の段部４２ｂと載置部４２ｃの屋外側端部から垂下する面(位置決め部材)の両方またはいずれか１方に当接することで位置決めして当接保持できる。
【００３７】
なお、既設下枠８の既設屋外側端部８ｂの屋外側には下枠カバー部材５２がねじｎ等で固定され、既設屋外側端部８ｂを覆っているため美観を確保できる。この実施形態では、下枠カバー部材５２は新設下枠１６の屋外側端部１６ｂとの境界まで延びていない。そのため、この境界から雨等が浸入するおそれがあるが、既設下枠８の既設屋外側端部８ｂの内側は上りの傾斜面８ｃになっており、その内側に既設網戸レール８ｄが起立しているため、それ以上の雨水の浸入を阻止できる。しかし、下枠カバー部材５２は新設下枠１６の屋外側端部１６ｂとの境界を覆う位置まで延設されていてもよい。
【００３８】
次に、本実施形態による改装サッシ１における新設下枠１６を既設下枠８に固定する改装サッシ１の施工方法について図６、図７により説明する。
まず、既設枠６から既設の外障子と内障子を取り外した状態で、第１部材４１の着座受け部４１ｂを既設内レール８ｆの頂部に係止させて、第１部材４１のストッパー部４０を既設下枠８の屋内側端部８ａに固定する。
次に第２部材４２を第１部材４１の水平面部４１ａに沿って屋外側から挿入し、ストッパー部４０のストッパ片に係止させる。このとき、第２部材４２の載置部４２ｃが高さ調整部材４４の調整ねじ４４ａ上に位置しており、載置部４２ｃがほぼ水平面をなすように当接凹部４４ｂに対する調整ねじ４４ａの締め込み量を調整しておく。
【００３９】
次に、下枠アタッチメント２１の第２部材４２の上部に屋外側から新設下枠１６を挿入する。そして、新設下枠１６の係止段部１６ｇが第２部材４２の段部４２ｂと載置部４２ｃの屋外側端部から垂下する面の両方またはいずれか１方に当接することで位置決めして保持される。次いで、新設下枠１６の基部１６ａ（取付部材）と第２部材４２の水平面部４２ａをねじｎで連結固定することで、下枠アタッチメント２１に新設下枠１６を固定できる。新設下枠１６の屋外側端部である屋外側端部１６ｂは既設下枠８の既設屋外側端部８ｂとほぼ面一となる。
また、アングルカバー４６は、上枠側のアングルカバー３５、縦枠のアングルカバー５９と四方組みされた状態で、屋内側から差込む。新設下枠１６には予めアングルカバー４６のアングル４６ｃが係止され、カバー係止部１６ｆはアングルカバー４６の嵌合受け部４６ｂと嵌合される。そして、アングル４６とアングルカバー４６ａとを、ねじｎで固定する。
次いで、新設の内障子２６と外障子２５を順次新設内レール１６ｅ、新設外レール１６ｄに嵌め込み、最後に新設網戸３９を新設網戸レール１６ｃに嵌め込むことができる。既設下枠８の既設屋外側端部８ｂに下枠カバー部材５２をねじｎで固定することで既設下枠８を隠すことができる。
【００４０】
次に図８に基づいて、既設縦枠９，１０に設置された縦枠アタッチメント２２、２３と新設縦枠１７，１８の構造について説明する。なお、既設縦枠９，１０と縦枠アタッチメント２２、２３と新設縦枠１７，１８は構造が略左右対称に表れるため、図８に示す一方側の縦枠構造によって代表して説明する。
既設縦枠９は額縁２７にねじｎ等で固定された屋内側端部９ａから既設屋外側端部９ｂに向けて例えば階段状に拡幅する形状を有している。屋内側端部９ａと既設屋外側端部９ｂの間に断面略Ｌ字状をなす内壁枠９ｃ及び側壁枠９ｄが形成されている。既設屋外側端部９ｂの外側には屋外から階段状に引っ込んだ端面が形成されている。
側壁枠９ｄは途中で略直交する方向に分岐枠９ｅが突出して形成され、側壁枠９ｄと分岐枠９ｅとで囲われた屋外側の領域には例えば断面四角形からなるスポンジ等の縦枠止水材５５が固定されている。
【００４１】
縦枠アタッチメント２２は例えば金属板製であり、断面略々Ｕ字状で両端部の長さが異なる形状とされ、側壁枠９ｄに当接する第１部材２２ａと新設縦枠１７に近接または当接する第２部材２２ｂと第１及び第２部材２２ａ、２２ｂの間の底部２２ｃとで形成されている。第１部材２２ａは第２部材２２ｂよりも短い長さに設定されていて、分岐枠９ｅに当接した位置決め状態で例えばねじｎによって側壁枠９ｄに固定されている。
【００４２】
新設縦枠１７は屋外側で見付け方向に延びる位置決め枠部１７ａ（位置決め部材）と見込方向に延びる取付枠部１７ｂ(取付部材)とで断面略Ｌ字状に形成されている。位置決め枠部１７ａは既設縦枠９の既設屋外側端部９ｂと面一に形成されていて、縦枠アタッチメント２２の第２部材２２ｂの先端面に当接して位置決めされている。位置決め枠部１７ａの先端は折り曲げられて縦枠止水材５５の内部に挿入され、縦枠止水材５５の残りの部分が屋外側に露出している。
取付枠部１７ｂは見込み方向屋内側に延びている。取付枠部１７ｂと縦枠アタッチメント２２の第２部材２２ｂとは直接当接していてもよいが、既設縦枠９と新設縦枠１７等の寸法等が適合しない場合には隙間が空くことがある。その場合には、取付枠部１７ｂの表面に板状のスペーサ５６を１または複数枚積層して配設し、スペーサ５６を介して第２部材２２ｂに当接させている。なお、取付枠部１７ｂの屋外側には第２部材２２ｂ側に厚みが増大する位置決め片１７ｃが突出して形成され、スペーサ５６の端部が当接して位置決めされている。
【００４３】
新設縦枠１７の取付枠部１７ｂは、見込み方向の屋外側近傍では直接またはスペーサ５６を介して縦枠アタッチメント２２の第２部材２２ｂにねじｎで固定されている。取付枠部１７ｂの見込み方向の屋内側端部近傍では、既設縦枠９の屋内側端部９ａを介して、またはスペーサ５６及び屋内側端部９ａを介して、額縁２７にねじｎで固定されている。
また、新設縦枠１７の取付枠部１７ｂにおいて、スペーサ５６と反対側にヒレ部５７が突出している。ヒレ部５７は新設の内障子２６の戸先側縦框５８の端部と当接可能とされている。また、既設縦枠９の既設屋外側端部９ｂの屋外側には縦枠カバー部材６０がねじｎで固定され、縦枠カバー部材６０は既設縦枠９の屋外側に露出する既設屋外側端部９ｂ及び外側の段部を覆うと共に、縦枠止水材５５の露出面をも覆うように設定されている。
一方の既設縦枠９と縦枠アタッチメント２２と新設縦枠１７は上述した構成を備えており、他方の既設縦枠１０と縦枠アタッチメント２３と新設縦枠１８も略対称な構成を備えているものとし、その説明を省略する。
【００４４】
次に、本実施形態による改装サッシ１における新設縦枠１７を既設縦枠９に固定する改装サッシ１の施工方法について図８により説明する。
まず、既設枠６から既設の外障子と内障子を取り外した状態で、既設縦枠９に縦枠アタッチメント２２を固定する。このとき、縦枠アタッチメント２２の第１部材２２ａの先端を分岐枠９ｅに当接すると共に側壁枠９ｄにも面接触させて、第１部材２２ａを側壁枠９ｄにねじｎで固定する。これにより第２部材２２ｂの見込み方向屋外側の先端部が位置決め部を構成する。
【００４５】
そして、屋外側から断面略Ｌ字状をなす新設縦枠１７を挿入し、縦枠アタッチメント２２の第２部材２２ｂの先端部に新設縦枠１７の位置決め枠部１７ａを当接させて位置決めし、位置決め枠部１７ａを既設縦枠９の既設屋外側端部９ｂと面一になるように取り付ける。新設縦枠１７の取付枠部１７ｂは第２部材２２ｂの内側で見込み方向屋内側に向けて設置される。
新設縦枠１７の位置決め片１７ｃにスペーサ５６を位置決めして設置することで、取付枠部１７ｂはスペーサ５６を介して第２部材２２ｂに当接する。取付枠部１７ｂに設置したスペーサ５６は屋内側の額縁２７に固定した既設縦枠９の屋内側端部９ａにも当接する。そして、取付枠部１７ｂの屋外側部分をスペーサ５６を介して第２部材２２ｂにねじｎで固定し、屋内側部分をスペーサ５６及び既設縦枠９の屋内側端部９ａを介して額縁２７に固定する。しかも、取付枠部１７ｂの屋内側部分には、樹脂製のアングルカバー５９の端部が新設縦枠１７のアングルにねじ止め固定され、アングルカバー５９の屋内側端部を額縁２７に固定した補助部材６１で係止する。
【００４６】
次に、新設縦枠１７の取付枠部１７ｂの内側で外障子２５と内障子２６をそれぞれ設置し、その屋外側に新設網戸３９を設置する。閉鎖状態で内障子２６の戸先側縦框５８の端部には新設縦枠１７のヒレ部５７が当接する。
また、屋外側に露出する既設縦枠９の既設屋外側端部９ｂとその外側段部、そして縦枠止水材５５の露出面を覆うように、縦枠カバー部材６０をねじｎで既設屋外側端部９ｂに固定する。これによって古い既設縦枠９を縦枠カバー部材６０で覆うことができて美観を確保できると共に、雨水等が新設縦枠１７の位置決め枠部１７ａと既設縦枠９の既設屋外側端部９ｂとの隙間から縦枠止水材５５内に浸入することを防止できる。
こうして設置された新設上枠１５、新設下枠１６、左右の新設縦枠１７，１８で囲われた新設枠１２内に従来より小型の複層ガラスを納めた外障子２５及び内障子２６を設置することができ、改装サッシ１の断熱性を向上できる。
【００４７】
上述したように本実施形態による改装サッシ１とその改装方法によれば、新設枠１２の新設上枠１５、新設下枠１６、左右の新設縦枠１７，１８は、位置決め部材によって既設枠６の既設上枠７、既設下枠８、左右の既設縦枠９，１０と見込み方向の面一またはその屋内側に設置することができる。そのため、既設枠６の屋外側端部に新設枠１２の屋外側端部が被さることがなく、新設枠１２を容易に位置決め固定できる。しかも、既設枠６に設けられた雨戸や面格子等が新設枠１２に干渉することを防止できる。
【００４８】
また、既設枠６にアタッチメント１３を介して新設枠１２を取り付けたため、アタッチメント１３に一体または別体に設けた位置決め部材を介して位置決め固定するため、新設枠１２の位置決めと改装サッシ１の施工が容易になる。
しかも、アタッチメント１３の位置決め部材を既設枠６の四周にそれぞれ設置したため、新設枠１２の新設上枠１５、新設下枠１６、左右の新設縦枠１７，１８の位置決め固定が確実であり、新設枠１２の大きさに関わらず歪みを生じることなく設置できる。
更に、既設枠６の屋外側端部に既設枠６と新設枠１２との境目とを覆うカバー部材として上枠カバー部材３８と左右の縦枠カバー部材６０を設置したため、既設枠６及び新設枠１２の境目から雨水等が浸入することを防止できる。しかも、下枠カバー部材５２を含めて意匠性が良く美観を確保できる。
【００４９】
以上、本発明の実施形態による改装サッシ１とその施工方法について詳細に説明したが、本発明は上述の実施形態に限定されることはなく、本発明の要旨を変更しない範囲で適宜の変更や置換等が可能であり、これらはいずれも本発明に含まれる。以下に、本発明の変形例等について説明するが、上述の実施形態と同一または同様な部分、部材には同一の符号を用いて説明を省略する。
【００５０】
上述した実施形態では、既設枠６の既設上枠７、既設下枠８、左右の既設縦枠９，１０にそれぞれアタッチメント２０、２１、２２、２３を介して新設枠１２の新設上枠１５、新設下枠１６、左右の新設縦枠１７，１８を四周に設けたが、本発明はこのような構成に限定されない。例えば、上枠アタッチメント２０、下枠アタッチメント２１にのみ位置決め部材を設けて上下の横枠にのみ新設上枠１５と新設下枠１６を設置してもよい。或いは、左右の縦枠アタッチメント２２，２３にのみ位置決め部材を設けて左右の縦枠にのみ左右の新設縦枠１７，１８を設置してもよい。
【００５１】
また、上記の実施形態では、既設枠６の室内側に額縁２７が設けられているが、額縁２７は設けられていなくてもよい。既設枠６の室内側に額縁２７が設けられていない場合の改装サッシ１では、樹脂製のアングルカバー３５，４６，５９が躯体まで延びていて、補助部材３７，４７，６１が躯体１４に固定されていてもよい。
また、既設枠６の室内側に額縁２７が設けられている場合などで、アングルカバー３５，４６，５９の平板部の多くが切断されてアングルカバー３５，４６，５９が小さい場合は、補助部材３７，４７，６１を設けずにアングルカバー３５，４６，５９のみが設けられていてもよい。或いは、アングルカバー３５，４６，５９及び補助部材３７，４７，６１が設置されていなくてもよい。
【００５２】
また、上記の実施形態では、下枠アタッチメント２１は、既設下枠８に対する高さ方向の位置を高さ調整部材４４によって調整可能に構成されているが、既設下枠８に対する高さ方向の位置を調整しない構成を採用してもよい。
【符号の説明】
【００５３】
１  改装サッシ
３  開口部
６  既設枠
７  既設上枠
８  既設下枠
９、１０  既設縦枠
１２  新設枠
１３  アタッチメント
１５  新設上枠
１５ｂ  位置決め部
１６  新設下枠
１７、１８  新設縦枠
１７ａ  位置決め枠部
１７ｂ  取付枠部
２０  上枠アタッチメント
２１  下枠アタッチメント
２２、２３  縦枠アタッチメント
２２ａ、３１、４１  第１部材
２２ｂ、３２、４２  第２部材
２５  外障子
２６  内障子
２９  上枠取付部材
３４  上枠位置決めブロック
３６、５６  スペーサ
３８  上枠カバー部材
４２ｂ  段部
４４  高さ調整部材
５２  下枠カバー部材
６０  縦枠カバー部材
【図１】
2018076741.tif 000003
【図２】
2018076741.tif 000004
【図３】
2018076741.tif 000005
【図４】
2018076741.tif 000006
【図５】
2018076741.tif 000007
【図６】
2018076741.tif 000008
【図７】
2018076741.tif 000009
【図８】
2018076741.tif 000010